(57)【特許請求の範囲】
【請求項１】
被検眼を検査するための眼科装置であって、
前記被検眼の前眼部を観察するための観察光学系と、前記被検眼の検査情報を取得するための検査光学系と、を有する検眼部と、
前記検眼部を前記被検眼に対して３次元的に駆動させる駆動手段と、
前記駆動手段の駆動を制御する駆動制御手段と、
前記観察光学系によって撮影された前記被検眼の前眼部画像を表示手段に出力する画像出力手段と、
前記画像出力手段によって出力された前記前眼部画像が表示される前記表示手段において、前記表示手段の画面上に設定された操作領域上の任意の位置を指定するタッチパネルによって指定された少なくとも２つの指定位置が相対的に移動されたときの相対距離の変化、および回転量の少なくともいずれかを検出するための第２検出手段と、を備え、
前記駆動制御手段は、
前記第２検出手段によって少なくとも２つの前記指定位置の相対的な移動を検出した場合、前記第２検出手段によって検出された少なくとも２つの前記指定位置の相対距離の変化、および回転量の少なくともいずれかに基づいて前記検眼部を前記検眼部の光軸の方向に駆動させる第２駆動制御を行うことを特徴とする眼科装置。
【請求項２】
前記画像出力手段によって出力された前記前眼部画像が表示される前記表示手段において、前記表示手段の画面上に設定された操作領域上の任意の位置を指定するタッチパネルによって指定された指定位置が移動されたときの移動方向および移動量を検出するための第１検出手段をさらに備え、
前記駆動制御手段は、
前記第１検出手段によって前記指定位置の移動を検出した場合、前記第１検出手段によって検出された前記指定位置の移動方向および移動量に基づいて前記検眼部を、前記検眼部の光軸に垂直な方向に駆動させる第１駆動制御と、前記第２駆動制御を行うことを特徴とする請求項１の眼科装置。
【請求項３】
前記駆動制御手段は、
前記第２検出手段によって検出された、前記タッチパネルへのピンチ操作に基づく前記少なくとも２つの指定位置の相対距離の変化に基づいて、
前記駆動手段の駆動を制御し、前記検査光学系の少なくとも一部を前記検査光学系の光軸方向に移動させる第２駆動制御を行うことを特徴とする請求項１または２の眼科装置。
【請求項４】
前記検査光学系は、前記被検眼を走査手段によって走査された測定光と、参照光との干渉による干渉信号を検出することによって断層画像を得るためのＯＣＴ光学系であって、
前記駆動手段は、前記ＯＣＴ光学系の有する第１フォーカス用光学部材を光軸方向に移動させることを特徴とする請求項１〜３のいずれかの眼科装置。
【請求項５】
被検眼の前眼部を観察するための観察光学系と、前記被検眼の検査情報を取得するための検査光学系と、を有する検眼部と、前記検眼部を前記被検眼に対して３次元的に駆動させる駆動手段と、を備える眼科装置、に用いられる眼科装置制御プログラムであって、
前記眼科装置のプロセッサによって実行されることで、
前記観察光学系によって撮影された前記被検眼の前眼部画像を表示手段に出力する画像出力ステップと、
前記画像出力ステップにおいて出力された前記前眼部画像が表示される前記表示手段において、前記表示手段の画面上に設定された操作領域上の任意の位置を指定するタッチパネルによって指定された少なくとも２つの指定位置が相対的に移動されたときの相対距離の変化、および回転量の少なくともいずれかを検出するための検出ステップと、
前記検出ステップにおいて少なくとも２つの前記指定位置の相対的な移動を検出した場合、前記検出ステップにおいて検出された少なくとも２つの前記指定位置の相対距離の変化、および回転量に基づいて前記検眼部を前記検眼部の光軸の方向に駆動させる駆動ステップを、
前記眼科装置に実行させることを特徴とする眼科装置制御プログラム。
【発明の詳細な説明】
【技術分野】
【０００１】
本開示は、被検眼を検査するための眼科装置、および眼科装置制御プログラムに関する。
【背景技術】
【０００２】
被検者眼を検査する眼科装置としては、例えば、低コヒーレント光を用いた光断層干渉計（Optical Coherence Tomography: OCT）を用いて断層画像を取得するＯＣＴ装置が知られている（特許文献１参照）。また、他の眼科装置としては、眼屈折力測定装置、眼圧測定装置、眼底カメラ、走査型レーザ検眼鏡（Scanning Laser Ophthalmoscope: SLO）等が知られている。
【０００３】
これらのような眼科装置は、従来において、ジョイスティックを備え、検者によるジョイスティックの操作によって被検眼に対する装置のアライメントを行うことが一般的であった。
【先行技術文献】
【特許文献】
【０００４】
【特許文献１】特開２０１２−２１３４８９
【発明の概要】
【発明が解決しようとする課題】
【０００５】
ところで、近年、上記のような眼科装置において、タッチパネルを備え、検者によるタッチパネルへの操作によってアライメントを行う装置が提案されている。
【０００６】
しかしながら、タッチパネルを用いて装置のアライメントを行う場合、ジョイスティックに比べて操作が難しく、検者の負担となることがあった。
【０００７】
本開示は、上記問題点を鑑み、容易に操作を行える眼科装置、および眼科装置制御プログラムを提供することを技術課題とする。
【課題を解決するための手段】
【０００８】
上記課題を解決するために、本開示は以下のような構成を備えることを特徴とする。
【０００９】
（１）  被検眼を検査するための眼科装置であって、前記被検眼の前眼部を観察するための観察光学系と、前記被検眼の検査情報を取得するための検査光学系と、を有する検眼部と、前記検眼部を前記被検眼に対して３次元的に駆動させる駆動手段と、前記駆動手段の駆動を制御する駆動制御手段と、前記観察光学系によって撮影された前記被検眼の前眼部画像を表示手段に出力する画像出力手段と、前記画像出力手段によって出力された前記前眼部画像が表示される前記表示手段において、前記表示手段の画面上に設定された操作領域上の任意の位置を指定するタッチパネルによって指定された少なくとも２つの指定位置が相対的に移動されたときの相対距離の変化、および回転量の少なくともいずれかを検出するための第２検出手段と、を備え、前記駆動制御手段は、前記第２検出手段によって少なくとも２つの前記指定位置の相対的な移動を検出した場合、前記第２検出手段によって検出された少なくとも２つの前記指定位置の相対距離の変化、および回転量の少なくともいずれかに基づいて前記検眼部を前記検眼部の光軸の方向に駆動させる第２駆動制御を行うことを特徴とする。
（２）  被検眼の前眼部を観察するための観察光学系と、前記被検眼の検査情報を取得するための検査光学系と、を有する検眼部と、前記検眼部を前記被検眼に対して３次元的に駆動させる駆動手段と、を備える眼科装置、に用いられる眼科装置制御プログラムであって、前記眼科装置のプロセッサによって実行されることで、前記観察光学系によって撮影された前記被検眼の前眼部画像を表示手段に出力する画像出力ステップと、前記画像出力ステップにおいて出力された前記前眼部画像が表示される前記表示手段において、前記表示手段の画面上に設定された操作領域上の任意の位置を指定するタッチパネルによって指定された少なくとも２つの指定位置が相対的に移動されたときの相対距離の変化、および回転量の少なくともいずれかを検出するための検出ステップと、前記検出ステップにおいて少なくとも２つの前記指定位置の相対的な移動を検出した場合、前記検出ステップにおいて検出された少なくとも２つの前記指定位置の相対距離の変化、および回転量に基づいて前記検眼部を前記検眼部の光軸の方向に駆動させる駆動ステップを、前記眼科装置に実行させることを特徴とする。
【図面の簡単な説明】
【００１０】
【図１】本実施例に係る眼底撮影装置の外観を示す概略図である。
【図２】本実施例の光学系を説明するための図である。
【図３】タッチパネルの操作を説明するためのフローチャートである。
【図４】タッチパネルの操作を説明するためのフローチャートである。
【図５】タッチパネルの操作を説明するためのフローチャートである。
【図６】タッチパネルの操作を説明するための図である。
【図７】タッチパネルの操作を説明するための図である。
【図８】撮像素子に撮像された前眼部像が表示部に表示されたときの例である。
【図９】被検眼に対するアライメント検出について説明する図である。
【図１０】マニュアルモードでのアライメントの微調整を説明する図である。
【図１１】光軸シフトモードでのアライメントの微調整を説明する図である。
【図１２】タッチパネルの回転操作について説明するための図である。
【発明を実施するための形態】
【００１１】
＜概要＞
以下、本開示に係る実施例の概要を説明する。図１に示す本実施例の眼科装置（例えば、眼科撮影装置１）は、被検者の眼を検査するための装置である。眼科装置は、例えば、検眼部（例えば、撮影部３）と、駆動部（例えば、ＸＹＺ駆動部６、駆動部１２４ａ、移動機構４９など）と、駆動制御部（例えば、制御部７０）と、画像出力部（例えば、制御部７０）と、第１検出部（例えば、制御部７０、タッチパネル７５ｂなど）と、第２検出部（例えば、制御部７０、タッチパネル７５ｂなど）と、を主に備える（図２参照）。
【００１２】
検眼部は、例えば、観察光学系（例えば、前眼部観察光学系６０）と、検査光学系（例えば、検査光学系３００、干渉光学系２００、眼底カメラ光学系３０など）などを有する。観察光学系は、例えば、被検眼の前眼部を観察する。観察光学系は、例えば、可視光、赤外光等で被検眼の前眼部を撮影し、前眼部画像を取得してもよい。なお、観察光学系は、例えば、撮像素子（例えば、撮像素子６５）を備えてもよい。撮像素子は、例えば、被検眼の前眼部と共役な位置に配置されてもよい。観察光学系は、例えば、被検眼に投光された光の眼底反射光を受光することによって、被検眼の徹照像を撮影してもよい。
【００１３】
検査光学系は、例えば、被検眼の検査情報を取得する。検査光学系は、例えば、被検眼の断層像を撮影する干渉光学系であってもよいし、被検眼の眼底正面画像を撮影するための眼底カメラ、ＳＬＯであってもよい。さらに、検査光学系は、被検眼の眼屈折力を測定する眼屈折力測定装置、眼圧を測定する眼圧測定装置、視野を測定する視野測定装置、眼軸長を測定する眼軸長測定装置、角膜形状を測定する角膜形状測定装置、角膜の曲率半径を測定する角膜曲率半径測定装置等の少なくともいずれかであってもよい。
【００１４】
駆動部は、例えば、検眼部を被検眼に対して３次元的に駆動させる。駆動制御部は、例えば、駆動部の駆動を制御する。
【００１５】
画像出力部は、例えば、観察光学系によって撮影された前眼部画像を表示部（例えば、表示部７５）に出力する。なお、画像出力部は、観察光学系によって撮影された徹照像を前眼部画像として表示部に出力してもよい。
【００１６】
第１検出部は、例えば、タッチパネル（例えば、タッチパネル７５ｂ）によって指定された指定位置（例えば、指示点Ｐ１、指示点Ｐ２など）が移動されたときの移動方向および移動量を検出する。なお、タッチパネルは、画像出力部によって出力された前眼部画像が表示される表示部において、表示部の画面上に設定された操作領域上の任意の位置を指定してもよい。なお、タッチパネルの操作領域は、例えば、表示部に表示された被検眼の前眼部の画像上に設定されてもよい。第２検出部は、タッチパネルによって指定された少なくとも２つの指定位置（例えば、指示点Ｑ１、指示点Ｑ２、指示点Ｒ１、指示点Ｒ２など）が相対的に移動されたときの相対距離の変化、および回転量の少なくともいずれかを検出する。
【００１７】
駆動制御部は、例えば、第１駆動制御と第２駆動制御の少なくともいずれかを行ってもよい。なお、駆動制御部は、例えば、第１駆動制御と第２駆動制御とを並行して行ってもよい。第１駆動制御とは、例えば、第１検出部によって指定位置の移動を検出した場合、第１検出によって検出された指定位置の移動方向および移動量に基づいて、検眼部の光軸に垂直な方向に検眼部を駆動させる制御である。ここで、光軸に垂直な方向とは、例えば、図１のＸＹ方向であってもよい。第２駆動制御は、例えば、第２検出部によって少なくとも２つの指定位置の相対的な移動を検出した場合、第２検出部によって検出された少なくとも２つの指定位置の相対距離の変化、および回転量の少なくともいずれかに基づいて、検眼部を光軸の方向に検眼部を駆動させる制御である。
【００１８】
なお、第２検出部は、例えば、タッチパネルへのピンチ操作を検出してもよい。ピンチ操作とは、例えば、複数本の指をタッチパネルへタッチした状態で、指の間隔を広げたり、狭めたりする操作である。駆動制御部は、第２検出部によって検出されたタッチパネルのピンチ操作に基づく少なくとも２つの指定位置の相対距離の変化に基づいて、駆動部を制御してもよい。この場合、駆動制御部は、例えば、駆動部の駆動を制御し、少なくとも２つの指定位置の相対距離の変化に基づいて、検眼部の光軸方向に検眼部の少なくとも一部を移動させてもよい。なお、検眼部の少なくとも一部とは、例えば、検査光学系の一部であってもよい。
【００１９】
なお、第２検出部は、例えば、タッチパネルへの回転操作を検出してもよい。回転操作とは、例えば、複数本の指をタッチパネルへタッチした状態で、画面に対する垂線方向を軸方向として複数本の指を回転させる操作である。駆動制御部は、第２検出部によって検出されたタッチパネルの回転操作に基づく少なくとも２つの指定位置の相対的な回転量に基づいて、駆動部を制御してもよい。この場合、駆動制御部は、例えば、駆動部の駆動を制御し、少なくとも２つの指定位置の回転量に基づいて、検眼部の光軸方向に検眼部の少なくとも一部を移動させてもよい。
【００２０】
なお、検査光学系は、例えば、走査手段によって被検眼を走査された測定光と、参照光との干渉による干渉信号を検出することによって断層画像を得るためのＯＣＴ光学系（例えば、干渉光学系２００）であってもよい。この場合、駆動部は、例えば、ＯＣＴ光学系の有する第１フォーカス用光学部材（フォーカシングレンズ１２４）および参照ミラー（例えば、参照ミラー１３１）の少なくともいずれかを光軸方向に移動させてもよい。そして駆動制御部は、第２検出部によって検出された少なくとも２つの指定位置の相対距離の変化、および回転量に基づいて、駆動部の駆動を制御してもよい。
【００２１】
さらに、検出光学系は、例えば、眼底からの反射光を受光することによって、被検眼眼底の正面画像を取得するための正面撮影光学系（例えば、眼底カメラ光学系３０）であってもよい。この場合、駆動部は、例えば、正面撮影光学系の有する第２フォーカス用光学部材（例えば、フォーカシングレンズ３２）を光軸方向に移動させてもよい。そして、駆動制御部は、第２検出部によって検出された少なくとも２つの指定位置の相対距離の変化、および回転量に基づいて、駆動部の駆動を制御してもよい。
【００２２】
眼科装置は、例えば、観察光学系によって撮影された前眼部画像に基づいて、被検眼に対する検査光学系のアライメントを調整し、被検眼の検査を行ってもよい。
【００２３】
なお、本実施例の眼科装置のプロセッサ（例えば、制御部７０）は、例えば、記憶媒体に記憶された眼科装置制御プログラムを読み込むことによって画像出力ステップと、第１検出ステップと、第２検出ステップと、第１駆動ステップと、第２駆動ステップ等の処理を実行してもよい。画像出力ステップは、例えば、観察光学系によって撮影された被検眼の前眼部画像を表示部に出力するステップである。第１検出ステップは、例えば、画像出力ステップにおいて出力された前眼部画像が表示される表示部において、表示部の画面上に設定された操作領域上の任意の位置を指定するタッチパネルによって指定された指定位置が移動されたときの移動方向および移動量を検出するステップである。
【００２４】
第２検出ステップは、例えば、タッチパネルによって指定された少なくとも２つの指定位置が相対的に移動されたときの相対距離の変化、および回転量の少なくともいずれかを検出するステップである。第１駆動ステップは、例えば、第１検出ステップにおいて指定位置の移動を検出した場合、第１検出ステップにおいて検出された指定位置の移動方向および移動量に基づいて検眼部を、検眼部の光軸に垂直な方向に駆動させるステップである。第２駆動ステップは、例えば、第２検出ステップにおいて少なくとも２つの指定位置の相対的な移動を検出した場合、第２検出ステップにおいて検出された少なくとも２つの指定位置の相対距離の変化、および回転量に基づいて検眼部を光軸の方向に駆動させるステップである。
【００２５】
なお、本実施例においては、被検眼の前眼部画像上での第１の操作と、被検眼の前眼部画像上での第２の操作（第１の操作とは異なる）を検出し、その検出結果に基づいて検眼部を上下左右前後方向に移動させる。このように、前眼部画像に対する操作に応じて、検眼部をＸＹＺ方向に駆動させることによって、スムーズにアライメント操作を行えるようになる。
【００２６】
＜実施例＞
以下、本発明に係る実施例を図面に基づいて説明する。図１〜図１０は本実施例に係る眼科装置の構成について説明する図である。なお、以下の例では、眼科装置の一つである眼科撮影装置１を例として説明する。なお、本実施例においては、被検者眼の軸方向をＺ方向、水平方向をＸ方向、鉛直方向をＹ方向として説明する。眼底の表面方向をＸＹ方向として考えてもよい。
【００２７】
本実施例の眼科撮影装置１は、図１に示すように、例えば、基台４と、撮影部３と、顔支持ユニット５と、表示部７５を主に備える。撮影部３は、後述する検査光学系を収納してもよい。撮影部３は、被検眼に対して３次元方向（ＸＹＺ）に移動可能に設けられてもよい。顔支持ユニット５は、被検者の顔を支持するために基台４に固設されてもよい。
【００２８】
撮影部３は、例えば、ＸＹＺ駆動部６によって、被検眼に対して左右方向、上下方向（Ｙ方向）及び前後方向に相対的に移動される。
【００２９】
表示部７５は、例えば、撮影部３の検者側に設けられてもよく、回転機構によって表示部７５の向きが任意に変更されてもよい。表示部７５は、液晶ディスプレイ（以下、ＬＣＤと略す場合がある）７５ａと、タッチパネル（ポインティングデバイス）７５ｂを備える。もちろん、表示部７５としては、ＬＣＤを用いた構成に限定されず、他の表示デバイス（有機ＥＬ等）を備える構成であってもよい。
【００３０】
ＬＣＤ７５ａは、被検眼の画像や検者への情報を表示する。タッチパネル７５ｂは、ＬＣＤ７５ａの画面上に配置される。なお、本実施例のタッチパネル７５ｂは、例えば、マルチタッチ操作に対応したものが用いられる。例えば、投影型静電容量方式のタッチパネル等が用いられてもよい。投影型静電容量方式のタッチパネルは、例えば、特定パターンに並べられた透明電極の層が配置され、指が近づいたときに生じた電極間の静電容量の変化から、指の位置が検出される。マルチタッチ操作とは、例えば、２本などの複数の指で画面上にタッチし、複数箇所の入力位置を同時に検出させることによって行う操作をいう。以下、主に２本の指を用いて、２箇所の入力位置を検出させて行うマルチタッチ操作について説明する。マルチタッチ操作には、主に、ピンチ操作（ピンチイン操作／ピンチアウト操作）、回転操作、二本指ドラッグ操作などがある。もちろん、タッチパネルは、シングルタッチ操作に対応したものが用いられてもよい。シングルタッチ操作は、１本の指で画面上（タッチパネル７５ｂ上）にタッチし、一箇所の入力位置を検出させることによって行う操作をいう。
【００３１】
表示部７５では、検者の指又はタッチペン等の入力部材のタッチにより、撮影部３をＸＹＺの各方向に移動させる信号を制御部７０に入力できる。例えば、タッチパネル７５ｂへの操作によって、ＸＹＺ駆動部６が駆動し、撮影部３がＸＹＺ方向に移動される。タッチパネル７５ｂの操作の詳細については後述する。
【００３２】
なお、タッチパネル７５ｂは、検者からの操作信号を一旦、制御部７０に送信してもよい。この場合、制御部７０は、後述するホストコンピュータ９０に操作信号を送ってもよい。例えば、ホストコンピュータ９０は、操作信号に応じた制御信号を制御部７０に送る。そして、例えば、制御部７０は、ホストコンピュータ９０から制御信号を受け取ると、制御信号に基づいて各種制御を行ってもよい。
【００３３】
なお、本実施例の眼科撮影装置１は、ホストコンピュータ（以下、ＨＣと略す場合がある）９０と接続されている。ＨＣ９０には、例えば、表示部９５、操作部（キーボード、マウス等）９６、制御部７０、後述する検出器１２０等が接続されてもよい。
【００３４】
＜光学系＞
図２に示すように、本実施例の光学系は、照明光学系１０、検査光学系３００を主に備える。検査光学系３００は、例えば、眼底カメラ光学系３０、干渉光学系（以下、ＯＣＴ光学系ともいう）２００等を備える。眼底カメラ光学系３０は、眼底を撮影（例えば、無散瞳状態）することによって赤外眼底画像、カラー眼底画像等を得るために用いられる。なお、赤外眼底画像は被検者の眼底を観察するための眼底観察画像として用いられる。ＯＣＴ光学系２００は、被検眼の断層画像を光干渉の技術を用いて非侵襲で得る。さらに、光学系は、フォーカス指標投影光学系４０、アライメント指標投影光学系５０、前眼部観察光学系６０を備えてもよい。
【００３５】
＜照明光学系＞
照明光学系１０は、例えば、観察照明光学系と撮影照明光学系を有する。撮影照明光学系は、光源１４、コンデンサレンズ１５、リングスリット１７、リレーレンズ１８、ミラー１９、黒点板２０、リレーレンズ２１、孔あきミラー２２、対物レンズ２５を主に備える。撮影光源１４は、フラッシュランプ等であってもよい。黒点板２０は、中心部に黒点を有する。
【００３６】
また、観察照明光学系は、光源１１、赤外フィルタ１２、コンデンサレンズ１３、ダイクロイックミラー１６、リングスリット１７から対物レンズ２５までの光学系を主に備える。光源１１は、例えば、ハロゲンランプ等であってもよい。赤外フィルタ１２は、例えば、波長７５０ｎｍ以上の近赤外光を透過する。ダイクロックミラー１６は、例えば、コンデンサレンズ１３とリングスリット１７との間に配置される。また、ダイクロイックミラー１６は、例えば、光源１１からの光を反射し撮影光源１４からの光を透過する特性を持つ。
【００３７】
＜眼底カメラ光学系＞
眼底カメラ光学系３０は、例えば、対物レンズ２５、撮影絞り３１、フォーカシングレンズ３２、結像レンズ３３、撮像素子３５が主に配置されている。撮影絞り３１は、孔あきミラー２２の開口近傍に位置する。フォーカシングレンズ３２は、光軸方向に移動可能である。撮像素子３５は、例えば、可視域に感度を有する撮影に利用可能である。撮影絞り３１は、例えば、対物レンズ２５に関して被検眼Ｅの瞳孔と略共役な位置に配置されている。フォーカシングレンズ３２は、例えば、モータを備える移動機構４９により光軸方向に移動される。
【００３８】
また、結像レンズ３３と撮像素子３５の間には、赤外光及び可視光の一部を反射し、可視光の大部分を透過する特性を有するダイクロイックミラー３７が配置される。ダイクロイックミラー３７の反射方向には、赤外域に感度を有する観察用撮像素子３８が配置されている。なお、ダイクロイックミラー３７の代わりに、跳ね上げミラーが用いられても良い。跳ね上げミラーは、例えば、眼底観察時に光路に挿入され、眼底撮影時に光路から退避される。
【００３９】
なお、対物レンズ２５と孔あきミラー２２の間には、例えば、光路分岐部材としての挿脱可能なダイクロイックミラー（波長選択性ミラー）２４が斜設されている。ダイクロイックミラー２４は、例えば、ＯＣＴ測定光の波長光、及びアライメント指標投影光学系５０及び前眼部照明光源５８の波長光（中心波長９４０ｎｍ）を反射する。
【００４０】
また、ダイクロイックミラー２４は、例えば、眼底観察用照明の波長光の光源波長（中心波長８８０ｎｍ）を含む波長９００ｎｍ以下を透過する特性を有する。眼底カメラ光学系３０によって撮影を行うときには、ダイクロイックミラー２４は挿脱機構６６により連動して跳ね上げられ、光路外に退避する。挿脱機構６６は、ソレノイドとカム等により構成することができる。
【００４１】
また、ダイクロイックミラー２４の撮像素子３５側には、挿脱機構６６の駆動により光路補正ガラス２８が跳ね上げ可能に配置されている。光路挿入時には、光路補正ガラス２８は、ダイクロイックミラー２４によってシフトされた光軸Ｌ１の位置を補正する役割を持つ。
【００４２】
観察用の光源１１を発した光束は、赤外フィルタ１２により赤外光束とされ、コンデンサレンズ１３、ダイクロイックミラー１６により反射されてリングスリット１７を照明する。そして、リングスリット１７を透過した光は、リレーレンズ１８、ミラー１９、黒点板２０、リレーレンズ２１を経て孔あきミラー２２に達する。孔あきミラー２２で反射された光は、補正ガラス２８、ダイクロイックミラー２４を透過し、対物レンズ２５により被検眼Ｅの瞳孔付近で一旦収束した後、拡散して被検眼眼底部を照明する。
【００４３】
眼底からの反射光は、対物レンズ２５、ダイクロイックミラー２４、補正ガラス２８、孔あきミラー２２の開口部、撮影絞り３１、フォーカシングレンズ３２、結像レンズ３３、ダイクロイックミラー３７、を介して撮像素子３８に結像する。なお、撮像素子３８の出力は制御部７０に入力され、制御部７０は、撮像素子３８によって撮像される被検眼の眼底観察画像を表示部７５に表示する。
【００４４】
また、撮影光源１４から発した光束は、コンデンサレンズ１５を介して、ダイクロイックミラー１６を透過する。その後、眼底観察用の照明光と同様の光路を経て、眼底は可視光により照明される。そして、眼底からの反射光は対物レンズ２５、孔あきミラー２２の開口部、撮影絞り３１、フォーカシングレンズ３２、結像レンズ３３を経て、撮像素子３５に結像する。
【００４５】
＜フォーカス指標投影光学系＞
フォーカス指標投影光学系４０は、赤外光源４１、スリット指標板４２、２つの偏角プリズム４３、投影レンズ４７、照明光学系１０の光路に斜設されたスポットミラー４４を主に備える。２つの偏角プリズム４３は、スリット指標板４２に取り付けられる。スポットミラー４４は、照明光学系１０の光路に斜設される。また、スポットミラー４４はレバー４５の先端に固着されている。スポットミラー４４は、通常は光軸に斜設されるが、撮影前の所定のタイミングで、ロータリソレノイド４６の軸の回転により、光路外に退避させられる。
【００４６】
なお、スポットミラー４４は被検眼Ｅの眼底と共役な位置に配置される。光源４１、スリット指標板４２、偏角プリズム４３、投影レンズ４７、スポットミラー４４及びレバー４５は、フォーカシングレンズ３２と連動して移動機構４９により光軸方向に移動される。また、フォーカス指標投影光学系４０のスリット指標板４２の光束は、偏角プリズム４３及び投影レンズ４７を介してスポットミラー４４により反射された後、リレーレンズ２１、孔あきミラー２２、ダイクロイックミラー２４、対物レンズ２５を経て被検眼Ｅの眼底に投影される。眼底へのフォーカスが合っていないとき、指標像Ｓ１・Ｓ２は、ずれ方向及びずれ量に応じて分離された状態で眼底上に投影される（図１１参照）。一方、フォーカスが合っているときには、指標像Ｓ１・Ｓ２は、合致した状態で眼底上に投影される。そして、指標像Ｓ１・Ｓ２は、撮像素子３８によって眼底像と共に撮像される。
【００４７】
＜アライメント指標投影光学系＞
アライメント指標投影光学系５０は、被検眼Ｅに対して、アライメント用指標光束を投影する。アライメント指標投影光学系５０には、図２における左下の点線内の図に示すように、撮影光軸Ｌ１を中心として同心円上に４５度間隔で赤外光源が複数個配置されている。本実施例における眼科撮影装置は、第１指標投影光学系（０度、及び１８０）と、第２指標投影光学系と、を主に備える。
【００４８】
第１指標投影光学系は、赤外光源５１とコリメーティングレンズ５２を持つ。第２指標投影光学系は、第１指標投影光学系とは異なる位置に配置され、６つの赤外光源５３を持つ。赤外光源５１は、撮影光軸Ｌ１を通る垂直平面を挟んで左右対称に配置される。
【００４９】
この場合、第１指標投影光学系は被検眼Ｅの角膜に無限遠の指標を左右方向から投影する。第２指標投影光学系は被検眼Ｅの角膜に有限遠の指標を上下方向もしくは斜め方向から投影する構成となっている。なお、図２の本図には、便宜上、第１指標投影光学系（０度、及び１８０度）と、第２指標投影光学系の一部のみ（４５度、１３５度）が図示されている。
【００５０】
＜前眼部観察光学系＞
被検眼Ｅの前眼部を撮像する前眼部観察（撮影）光学系６０は、ダイクロイックミラー２４の反射側に、ダイクロイックミラー６１、絞り６３、リレーレンズ６４、二次元撮像素子（受光素子：以下、撮像素子６５と省略する場合あり）６５を主に備える。撮像素子６５は、赤外域の感度を持つ。また、撮像素子６５はアライメント指標検出用の撮像手段を兼ね、赤外光を発する前眼部照明光源５８により照明された前眼部とアライメント指標が撮像される。前眼部照明光源５８により照明された前眼部は、対物レンズ２５、ダイクロイックミラー２４及びダイクロイックミラー６１からリレーレンズ６４の光学系を介して撮像素子６５により受光される。また、アライメント指標投影光学系５０が持つ光源から発せられたアライメント光束は被検眼角膜に投影される。その角膜反射像は対物レンズ２５〜リレーレンズ６４を介して撮像素子６５に受光（投影）される。
【００５１】
二次元撮像素子６５の出力は制御部７０に入力され、図８に示すように表示部７５には、二次元撮像素子６５によって撮像された前眼部像が表示される。なお、前眼部観察光学系６０は、被検眼に対する装置本体のアライメント状態を検出するための検出光学系を兼用する。
【００５２】
なお、前眼部観察光学系６０は、被検眼の徹照像を撮影してもよい。徹照像とは、例えば眼底反射光によって瞳孔内を照明することによって撮影された瞳孔内画像である。
【００５３】
徹照像を撮影する場合、制御部７０は、徹照像撮影用の光源として機能する光源１１を、徹照像が撮影できる光量レベルまで発光させる。光源１１からの光束は、眼底に投光される。そして、眼底反射光は、被検眼Ｅの水晶体内を照明した後に、瞳孔から出射される。瞳孔から出射された眼底反射光は、ダイクロイックミラー２４，６１によって反射され、撮像素子６５に受光される。この場合、ダイクロイックミラー２４，６１等は、光源１１から出射される波長の光が反射されるような光学特性に設定されてもよい。このように撮影された徹照像には、白内障の混濁等が影となって撮影される。
【００５４】
＜両眼観察光学系＞
なお、本装置には、被検者の両眼を観察するための両眼カメラ８０が備わる。図２に示すように、例えば、両眼カメラ８０は、撮影部３の被検者側に設けられ、顔支持ユニット５に支持された被検者の顔を撮影する。両眼カメラ８０によって撮影された両眼画像８５は、後述の制御部によって表示部７５等に表示される（図１１参照）。
【００５５】
＜ＯＣＴ光学系＞
図２に戻る。ＯＣＴ光学系２００は、いわゆる眼科用光干渉断層計（ＯＣＴ：Optical coherence tomography）の装置構成を持ち、眼Ｅの断層像を撮像する。ＯＣＴ光学系２００は、測定光源１０２から出射された光をカップラー（光分割器）１０４によって測定光と参照光に分割する。そして、ＯＣＴ光学系２００は、測定光を眼Ｅの眼底Ｅｆに導き，また、参照光を参照光学系１１０に導く。測定光は、コリメータレンズ１２３、フォーカスレンズ１２４を介し、走査部１０８に達し、例えば、２つのガルバノミラーの駆動によって反射方向が変えられる。そして、走査部１０８で反射された測定光は、リレーレンズ１０９を介して、ダイクロイックミラー２４で反射された後、対物レンズ２５を介して、被検眼眼底に集光される。その後、眼底Ｅｆによって反射された測定光と，参照光との合成による干渉光を検出器（受光素子）１２０に受光させる。
【００５６】
検出器１２０は、測定光と参照光との干渉状態を検出する。フーリエドメインＯＣＴの場合では、干渉光のスペクトル強度が検出器１２０によって検出され、スペクトル強度データに対するフーリエ変換によって所定範囲における深さプロファイル（Ａスキャン信号）が取得される。例えば、Spectral-domain OCT（ＳＤ−ＯＣＴ）、Swept-source OCT（ＳＳ−ＯＣＴ）が挙げられる。Spectral-domain OCT（ＳＤ−ＯＣＴ）の場合、例えば、光源１０２として広帯域光源が用いられ、検出器１２０として分光器（スペクトロメータ）が用いられる。Swept-source OCTの場合、例えば、光源１０２として波長可変光源が用いられ、検出器１２０として単一のフォトダイオードが用いられる（平衡検出を行ってもよい）。また、Time-domain OCT（ＴＤ−ＯＣＴ）であってもよい。
【００５７】
走査部１０８は、測定光源から発せられた光を被検眼眼底上で走査させる。例えば、走査部１０８は、眼底上で二次元的（ＸＹ方向（横断方向））に測定光を走査させる。走査部１０８は、瞳孔と略共役な位置に配置される。走査部１０８は、例えば、２つのガルバノミラーであり、その反射角度が駆動部１５１によって任意に調整される。
【００５８】
これによって、光源１０２から出射された光束はその反射（進行）方向が変化され、眼底上で任意の方向に走査される。これによって、眼底Ｅｆ上における撮像位置が変更される。走査部１０８としては、光を偏向させる構成であればよい。例えば、反射ミラー（ガルバノミラー、ポリゴンミラー、レゾナントスキャナ）の他、光の進行（偏向）方向を変化させる音響光学素子（ＡＯＭ）等が用いられる。
【００５９】
参照光学系１１０は、眼底Ｅｆでの測定光の反射によって取得される反射光と合成される参照光を生成する。参照光学系１１０は、マイケルソンタイプであってもよいし、マッハツェンダタイプであっても良い。
【００６０】
参照光学系１１０は、参照光路中の光学部材を移動させることによって、測定光と参照光との光路長差を変更してもよい。例えば、参照ミラーが光軸方向に移動される。光路長差を変更するための構成は、測定光学系の測定光路中に配置されてもよい。
【００６１】
より詳細には、参照光学系１１０は、例えば、コリメータレンズ１２９、参照ミラー１３１、参照ミラー駆動部１５０を主に備える。参照ミラー１３１は、参照光路中に配置され、参照光の光路長を変化させるべく、光軸方向に移動可能な構成になっている。光を参照ミラー１３１によって反射することにより再度カップラー１０４に戻し、検出器１２０に導く。他の例としては、参照光学系１１０は、透過光学系（例えば、光ファイバー）によって形成され、カップラー１０４からの光を戻さず透過させることにより検出器１２０へと導く。
【００６２】
＜制御部＞
続いて、本実施例の制御系について説明する。本実施例の制御部７０には、前眼部観察用の撮像素子６５と、赤外眼底観察用の撮像素子３８と、表示部７５と、各光源と、各種駆動部と、撮像素子３５と、メモリ７２と、ＨＣ９０とが接続される。なお、煩雑化を避けるため、図２において、撮像素子６５、各光源、各種駆動部と、制御部７０との接続を示す線は省略する。
【００６３】
制御部７０は、撮像素子６５によって撮像された前眼部観察画像と、撮像素子３８によって撮像された赤外眼底観察画像を本体の表示部７５に表示する。
【００６４】
ＨＣ９０は、プロセッサとしてのＣＰＵ、記憶手段としてのメモリ（不揮発性メモリ）等を備える。ＨＣ９０は、操作部（例えば、マウス、キーボード等）９６、表示部９５等と接続される。ＨＣ９０は、眼科撮影装置１を制御するための制御信号を制御部７０に送信してもよい。ＨＣ９０のメモリは、電源の供給が遮断されても記憶内容を保持できる非一過性の記憶媒体である。例えば、ハードディスクドライブ、フラッシュＲＯＭ、ＨＣ９０に着脱可能に装着されるＵＳＢメモリ、外部サーバー等がメモリとして使用されうる。メモリには、眼科撮影装置１による正面画像および断層画像の撮影を制御するための撮影制御プログラムが記憶されている。
【００６５】
ＨＣ９０（より詳しくは、ＨＣ９０のプロセッサ（例えば、ＣＰＵ）は、制御部７０を介して、検出器１２０からの受光信号を取得してもよい。そして、ＨＣ９０は、検出器１２０からの受光信号を演算処理することによって断層画像を生成してもよい。
【００６６】
例えば、フーリエドメインＯＣＴの場合、ＨＣ９０は、検出器１２０から出力される各波長での干渉信号を含むスペクトル信号を処理する。ＨＣ９０は、スペクトル信号を処理して被検眼の内部情報（例えば、深さ方向に関する被検眼のデータ（深さ情報））を得る。より詳細には、スペクトル信号（スペクトルデータ）は、波数ｋ（＝２π／λ）に関して等間隔な関数Ｉ（ｋ）に変換される。ＨＣ９０は、波数ｋ空間でのスペクトル信号をフーリエ変換することにより深さ（Ｚ）領域における信号分布を得る。
【００６７】
＜タッチパネルについて＞
本実施例において、検者は、タッチパネル７５ｂを操作することによって撮影部３を移動させ、被検眼Ｅと撮影部３とのアライメントを行うことができる。例えば、検者がタッチパネル７５ｂ上でポイントを指定し、その指示点をドラッグ（drag）することによって、撮影部３がＸＹ方向に移動される。さらに、検者がタッチパネル７５ｂ上でピンチ操作を行うことによって、撮影部３がＺ方向に移動される。ここで、ピンチ操作とは、２本（あるいはそれ以上）の指で画面上をタッチし、画面上に指を載せたまま、２本の指の間隔を狭めたり、広げたりする操作である。なお、タッチパネル７５ｂに接触させた２本の指の間隔を狭める操作を「ピンチイン」(pinch-in)（又はピンチクローズ(pinch-close)）といい、２本の指の間隔を広げる操作を「ピンチアウト」(pinch-out)（又はピンチオープン(pinch-open)）という。
【００６８】
タッチパネル７５ｂには、例えば、二次元の座標軸（ｘ軸およびｙ軸）が予めプログラムにより設定されている。例えば、タッチパネル７５ｂ上に指が触れたときの、複数の電極間の静電容量の変化から、タッチパネル７５ｂ上で指定された位置（指示点）の座標が制御部７０によって認識される。
【００６９】
また、メモリ７２には、単位座標当たりで、撮影部３を移動させる距離が予め記憶されている。制御部７０は、指示点がドラッグされたときのｘ軸成分及びｙ軸成分の差から撮影部３を移動させる距離を求め、ＸＹＺ駆動部６の駆動量を算出する。
【００７０】
＜タッチパネルに関する制御＞
タッチパネル７５ｂに関する制御について説明する。眼科撮影装置１が起動されると、制御部７０は、図３に示すメイン操作ステップを実行する。メイン操作ステップでは、制御部７０は、常時又は所定の時間間隔でタッチパネル７５ｂからの信号を読み込み（ステップＳ０−１）、タッチパネル７５ｂに対して指等でタッチされた点（指示点）が検出されたか否かを判定する（ステップＳ０−２）。タッチパネル７５ｂが押されていない状態ではタッチパネル７５ｂからの信号は検出されない。したがって、制御部７０は、指示点が無いと判定し、ステップＳ０−１に戻って信号の受信を繰り返し行う。
【００７１】
制御部７０は、ステップＳ０−２において指示点が有ると検出された場合、タッチパネル７５ｂからの信号に基づいて指示点を取得し（Ｓ０−３）、その数を判定する（ステップＳ０−４）。例えば、制御部７０は、指示点の数が「１」であると判定した場合、図４に示す第１操作ステップに進む（Ｓ０−５）。また、制御部７０は、指示点が２である場合、図５に示す第２操作ステップに進む（Ｓ０−６）。第２操作ステップは、検者のピンチ操作等のマルチタッチ操作を検出するステップである。
【００７２】
＜第１操作ステップ＞
まず、図４の第１操作ステップについて説明する。第１操作ステップでは、例えば、制御部７０はタッチパネル７５ｂから送信されてきた信号に基づき１つの指示点の座標（位置）を認識する（ステップＳ１−１）。図６（ａ）の例では指Ｓ１で指定された指示点Ｐ１の位置が認識される。タッチパネル７５ｂが押されている状態が継続している間は、タッチパネル７５ｂからの信号が継続して検出される。制御部７０は単位時間毎に検出した信号に基づく座標を比較して、タッチパネル７５ｂ上で指示点Ｐ１の移動があるかを判定する（ステップＳ１−２）。
【００７３】
例えば、ある時間ｔ０で検出された信号と、次の時間ｔ１で検出された信号が同じ場合は、制御部７０は指示点が移動されていないと判定する。一方、時間ｔ０と時間ｔ１で検出された信号が異なる場合は、制御部７０は指示点が移動されたと判定する（ステップＳ１−２）。そして、時間ｔ０と時間ｔ１で検出された座標の変化から指示点がドラッグされた移動方向及び移動量を算出する（ステップＳ１−３）。
【００７４】
例えば、図６（ｂ）に示すように、指ＳをポイントＰ１からポイントＰ２まで矢印Ａ方向へ移動させるとする。この時、制御部７０は最初の検出時間ｔ０でポイントＰ１の座標（ｘ０、ｙ０）を検出し、次の検出時間ｔ１で矢印Ａ上にある座標（ｘ１、ｙ１）を検出する。このとき、指Ｓ１により指示点が移動（ドラッグ）されているので、制御部７０は時間ｔ１と時間ｔ０で検出された座標から、ｘ軸方向の移動距離（ｘ１−ｘ０）、およびｙ軸方向の移動距離（ｙ１−ｙ０）を算出する。移動方向は、座標（ｘ０、ｙ０）と座標（ｘ１、ｙ１）の変化から求められる。
【００７５】
以上のように、ステップＳ１−３で、制御部７０は指示点がドラッグされたときの移動量及び移動方向を求めると、求めた移動量及び移動方向に基づいてＸＹＺ駆動部６の駆動を制御して撮影部３をＸＹ方向に移動させ（ステップＳ１−４）、第１操作ステップを終了する。
【００７６】
以上のようにすることで、タッチパネル７５ｂ上の指示点のドラッグと連動して、撮影部３の移動量および移動方向が制御され、撮影部３が移動される。表示部７５に表示された前眼部像８４のドラックによる移動と連動して撮影部３が移動されるので、検者は直感的な操作により、アライメントができるようになる。
【００７７】
＜第２操作ステップ＞
続いて、次に第２操作ステップについて説明する。第２操作ステップでは、例えば、制御部７０はタッチパネル７５ｂから検出した信号に基づき、２つ（あるいは２つ以上）の指示点の座標（位置）を認識する（ステップＳ２−１）。図７の例では指Ｓ１，指Ｓ２で指定された指示点Ｑ１および指示点Ｒ１の位置が認識される。タッチパネル７５ｂが押されている状態が継続している間は、タッチパネル７５ｂからの信号が継続して検出される。制御部７０は単位時間毎に検出した信号に基づく座標を比較して、タッチパネル７５ｂ上で指示点Ｑ１およびＲ１の移動があるかを判定する（ステップＳ２−２）。
【００７８】
例えば、ある時間ｔ０で検出された信号と、次の時間ｔ１で検出された信号が同じ場合は、制御部７０は指示点が移動されていないと判定する。一方、時間ｔ０と時間ｔ１で検出された信号が異なる場合は、制御部７０は指示点が移動されたと判定する（ステップＳ２−２）。
【００７９】
制御部７０は、ステップＳ２−２において、指示点の移動が無いと判定すると、第２操作ステップを終了する。指示点の移動が有ると判定すると、制御部７０は、例えば、２つの指示点の中点を基準にＸＹ駆動のための処理を行う。例えば、図７に示すように、時間ｔ０から時間ｔ１の場合において、指示点Ｑ１が指示点Ｑ２に移動し、指示点Ｒ１が指示点Ｒ２に移動したとする。このような場合、制御部７０は、指示点Ｑ１と指示点Ｒ１の中点Ｋ１、指示点Ｑ２と指示点Ｒ２の中点Ｋ２を各指示点の座標からそれぞれ算出する。そして、制御部７０は、中点Ｋ１に対する中点Ｋ２の座標の変化から、中点がドラッグされた移動方向及び移動量を算出する（ステップ２−３）。なお、中点の移動方向および移動量は、ステップＳ１−３において説明した方法と同様に求めてもよい。
【００８０】
さらに、制御部７０は、指示点Ｑ１と指示点Ｒ１との距離Ｄ１、指示点Ｑ２と指示点Ｒ２との距離Ｄ２とを各指示点の座標からそれぞれ算出し、距離Ｄ１と距離Ｄ２との差分Ｄｗを求める（ステップＳ２−４）。
【００８１】
制御部７０は、以上のように求めた中点の移動方向及び移動量、差分Ｄｗの大きさに基づいてＸＹＺ駆動量を算出する（ステップＳ２−５）。
【００８２】
制御部７０は、ステップＳ２−５にて算出されたＸＹＺ駆動量及び駆動方向に基づいて、ＸＹＺ駆動部６の駆動を制御して撮影部３を移動させ（ステップＳ２−６）、第２操作ステップを終了する。
【００８３】
そして、その後の検出時間（ｔ２、ｔ３、・・）毎に検出された指示点の座標の変化から移動量及び移動方向の算出を繰り返し行う。このように、単位時間毎に指示点の座標を検出し、その検出に基づいて移動量を算出することで、指示点が移動される速度に応じて撮影部３を移動させる速度を変化させてもよい。
【００８４】
＜制御動作＞
以上のような装置の撮影動作を説明する。本装置の大まかな流れとしては、オートまたはマニュアルアライメントによってアライメントを行い、ＯＣＴ画像とカラー眼底画像を撮影する。なお、撮影されたＯＣＴ画像等に画像不良があった場合は、光軸シフトモードによってアライメント及びフォーカスの微調整を行う。
【００８５】
以下、詳細な撮影の流れを説明する。まず、検者は、図示無き固視標投影ユニットの固視標を注視するように被検者に指示した後、両眼カメラ８０によって撮影された被検者の両眼を含む両眼観察画像８５を表示部７５で見ながら、左右一方の被検眼の瞳孔中心をタッチする。すると、制御部７０は、タッチパネル７５ｂからの信号に基づいてＸＹＺ駆動部６を駆動させ、両眼観察画像８５のタッチされた位置に光軸Ｌ１が位置されるように撮影部３を移動させる。例えば、制御部７０は、タッチパネル７５ｂの指示点の座標からＸＹ軸の各方向への駆動量を算出し、ＸＹＺ駆動部をＸＹ方向に駆動させる。そして、制御部７０は、ＸＹ方向に関する撮影部３の移動動作が完了した後、アライメント輝点が検出されるまで撮影部３を前進させるようにしてもよい。
【００８６】
以上のようにして、観察光学系６０によって被検眼の前眼部観察画像が取得されるようになると、表示部７５上に前眼部観察像８４が現れる。この場合、図８に示すように、８つの指標像（第１のアライメント指標像）Ｍａ〜Ｍｈが現れるようになる。この場合、撮像素子６５による撮像範囲としては、アライメント完了時点において、前眼部の瞳孔、虹彩、睫が含まれる程度の範囲が好ましい。
【００８７】
＜オートアライメント＞
アライメント指標像Ｍａ〜Ｍｈが二次元撮像素子６５に検出されると、制御部７０は、自動アライメント制御を開始する。制御部７０は、二次元撮像素子６５から出力される撮像信号に基づいて被検眼に対する撮影部３のアライメント偏位量Δｄを検出する。より具体的には、リング状に投影された指標像Ｍａ〜Ｍｈによって形成されるリング形状の中心のＸＹ座標を略角膜中心として検出し、予め撮像素子６５上に設定されたＸＹ方向のアライメント基準位置Ｏ１（例えば、撮像素子６５の撮像面と撮影光軸Ｌ１との交点）と角膜中心座標との偏位量Δｄを求める（図９参照）。なお、画像処理により瞳孔中心を検出し、その座標位置と基準位置Ｏ１との偏位量によりアライメントずれが検出されるようにしてもよい。
【００８８】
そして、制御部７０は、この偏位量Δｄがアライメント完了の許容範囲Ａに入るように、ＸＹＺ駆動部６の駆動制御による自動アライメントを作動する。偏位量Δｄがアライメント完了の許容範囲Ａに入り、その時間が一定時間（例えば、画像処理の１０フレーム分又は０．３秒間等）継続しているか（アライメント条件を満足しているか）により、ＸＹ方向のアライメントの適否を判定する。
【００８９】
また、制御部７０は、前述のように検出される無限遠の指標像Ｍａ，Ｍｅの間隔と有限遠の指標像Ｍｈ，Ｍｆの間隔とを比較することによりＺ方向のアライメント偏位量を求める。この場合、制御部７０は、撮影部３が作動距離方向にずれた場合に、前述の無限遠指標Ｍａ，Ｍｅの間隔がほとんど変化しないのに対して、指標像Ｍｈ，Ｍｆの像間隔が変化するという特性を利用して、被検眼に対する作動距離方向のアライメント偏位量を求める（詳しくは、特開平６−４６９９９号参照）。
【００９０】
また、制御部７０は、Ｚ方向についても、Ｚ方向のアライメント基準位置に対する偏位量を求め、その偏位量が、アライメントが完了したとされるアライメント許容範囲に入るように、ＸＹＺ駆動部６の駆動制御による自動アライメントを作動する。Ｚ方向の偏位量がアライメント完了の許容範囲に一定時間入っているか（アライメント条件を満足しているか）により、Ｚ方向のアライメントの適否を判定する。
【００９１】
前述したアライメント動作によって、ＸＹＺ方向のアライメント状態がアライメント完了の条件を満たしたら、制御部７０はＸＹＺ方向のアライメントが合致したと判定し、次のステップに移行する。
【００９２】
ここで、ＸＹＺ方向におけるアライメント偏位量Δｄが許容範囲Ａ１に入ったら、駆動部６の駆動を停止させると共に、アライメント完了信号を出力する。なお、アライメント完了後においても、制御部７０は、偏位量Δｄを随時検出しており、偏位量Δｄが許容範囲Ａ１を超えた場合、自動アライメントを再開する。すなわち、制御部７０は、偏位量Δｄが許容範囲Ａ１を満たすように被検者眼に対して撮影部３を追尾させる制御（トラッキング）を行う。
【００９３】
なお、疾病眼を撮影する場合、上記のようなオートアライメントが失敗する可能性がある。例えば、白内障、眼瞼下垂、眼振、固視不良等によって、角膜中心又は瞳孔中心等が検出できない、またはアライメントが一定に定まらない、ということがあり得る。このような場合、制御部７０は、ＸＹＺ方向のアライメントが不適であると判定し、次に説明するマニュアルモードにアライメントモードを切り換える。なお、マニュアルモードは、制御部７０の判定によってオートモードから自動的に切り換わってもよいし、検者の操作によって切り換えられてもよい。
【００９４】
＜マニュアルアライメント＞
マニュアルモードでは、前述のようなタッチパネル７５ｂの操作に基づいて、検者が手動で、撮影部３のアライメントを行う。従って、オートアライメントが難しい疾病眼であっても、検者の操作によってアライメントを合わせることができる。
【００９５】
アライメントモードがマニュアルモードに切り換わると、制御部７０は、図３〜７について説明したタッチパネル７５ｂの操作に基づいて、被検眼Ｅと撮影部３とのアライメントを調整する。本実施例では、観察光学系６０によって撮影された前眼部画像８４を観察し、前眼部に対する撮影部３のアライメントを調整する。
【００９６】
例えば、図１０（ａ）に示すように、被検眼の瞳孔が前眼部表示領域の左上に寄っており、撮影部３の作動距離より離れ、ぼやけた前眼部画像８４が表示されているとする。
【００９７】
例えば、２本の指（人差し指Ｓ１と親指Ｓ２）を用いてタッチパネル７５ｂを操作し、前眼部に対するアライメントを調整する。検者は、例えば、前眼部画像８４上の任意の場所に人差し指Ｓ１と親指Ｓ２で触れ、２本の指Ｓ１，Ｓ２の間隔を広げてピンチアウトしつつ、両指を右下にドラッグする。このとき、ドラッグ前の人差し指Ｓ１と親指Ｓ２の指示点をそれぞれ指示点Ｑ１、指示点Ｒ１、ドラッグ後の指示点をそれぞれ指示点Ｑ２、指示点Ｒ２とする。制御部７０は、前述のように、指示点Ｑ１と指示点Ｒ１の中点Ｋ１と、指示点Ｑ２と指示点Ｒ２の中点Ｋ２の座標を求め、中点Ｋ１から中点Ｋ２への移動量と移動方向を算出する。さらに、制御部７０は、前述のように差分Ｄｗを算出する。そして、制御部７０は算出した移動量と移動方向と差分Ｄｗに基づいて、ＸＹＺ駆動部６を制御し、撮影部３を被検眼に向けて左上前方に３次元的に移動させる。撮影部３が左上前方に移動されたことによって、表示部７５に表示される前眼部画像８４は、図１０（ｂ）に示すように、瞳孔中心等が鮮明に表示されるようになる。なお、撮影部３が被検眼に対して作動距離よりも近くにあった場合、検者は、ピンチイン操作によって撮影部３を被検眼に対して検者の手前側に移動させてもよい。
【００９８】
検者は、前眼部画像８４を観察しながら、ドラッグ操作とピンチ操作を適宜行うことによって、撮影部３を被検眼に対して適正な位置に移動させる。このように、ドラッグ操作とピンチ操作を並行して行うことによって撮影部３を３次元的に移動させると、よりスムーズにマニュアルアライメントが行える。さらに、上記のように、ドラッグ操作とピンチ操作は片手で容易に行うことができるため、ＸＹＺ方向のアライメント調整を行いつつ、もう一方の手で被検者の開瞼作業などが行える。もちろん、ドラッグ操作とピンチ操作は、別々に行われてもよい。
【００９９】
また、上記のように、ＸＹＺ方向のアライメントのためのタッチパネル操作は、表示部７５の任意の場所で操作可能なため、表示部７５に表示された移動ボタン等の操作によって撮影部３を移動させる場合に比べ、操作のたびに表示部７５の移動ボタンの位置を確認する手間が省ける。
【０１００】
＜フォーカス状態の検出／オートフォーカス＞
上記のようにしてオートあるいはマニュアルでアライメントが完了されると、表示部７５には、撮像素子３８で撮像される眼底のライブ画像が表示される。さらに、アライメントが完了されると、制御部７０は、被検眼の眼底に対するオートフォーカスを行う。例えば、撮像素子３８で撮像される眼底観察画像８７には、眼底像の中心にフォーカス指標投影光学系４０によるフォーカス指標像Ｓ１、Ｓ２が投影されている（図１２参照）。ここで、フォーカス指標像Ｓ１，Ｓ２は、フォーカスが合っていないときには分離され、フォーカスが合っているときに一致して投影される。制御部７０は、指標像Ｓ１，Ｓ２を画像処理により検出し、その分離情報を得る。そして、制御部７０は、指標像Ｓ１，Ｓ２の分離情報を基に移動機構４９の駆動を制御し、眼底に対するピントが合うようにレンズ３２を移動させる。
【０１０１】
＜最適化制御＞
なお、アライメント完了信号が出力されると、制御部７０は、最適化制御を開始するためのトリガ信号を発し、最適化の制御動作を開始する。制御部７０は、最適化を行うことによって、検者が所望する眼底部位が高感度・高解像度で観察できるようにする。本実施例において、最適化の制御は、光路長調整、フォーカス調整、偏光状態の調整（ポラライザ調整）、の制御である。なお、最適化の制御において、眼底に対する一定の許容条件を満たすことができればよく、最も適切な状態に調整する必要は必ずしもない。
【０１０２】
最適化制御において、制御部７０は、初期化の制御として、参照ミラー１３１とフォーカシングレンズ１２４の位置を初期位置に設定する。初期化完了後、制御部７０は、設定した初期位置から参照ミラー１３１を一方向に所定ステップで移動させ、第１光路長調整を行う（第１自動光路長調整）。また、第１光路長調整と並行するように、制御部７０は、前述の被検眼眼底に対する眼底カメラ光学系３０のフォーカス結果に基づいて、被検眼眼底に対する合焦位置情報（例えば、レンズ３２の移動量）を取得する。合焦位置情報が取得されると、制御部７０は、フォーカスシングレンズ１２４を合焦位置に移動させ、オートフォーカス調整（フォーカス調整）を行う。なお、合焦位置とは、観察画像として許容できる断層画像８６のコントラストを取得できる位置であればよく、必ずしも、フォーカス状態の最適位置である必要はない。
【０１０３】
そして、フォーカス調整完了後、制御部７０は、再度、参照ミラー１３１を光軸方向に移動させ、光路長の再調整（光路長の微調整）をする第２光路長調整を行う。第２光路長調整完了後、制御部７０は、参照光の偏光状態を調節するためのポラライザ１３３を駆動させ、測定光の偏光状態を調整する（詳しくは、特願２０１２−５６２９２号参照）。
【０１０４】
以上のようにして、最適化の制御が完了されることにより、検者が所望する眼底部位が高感度・高解像度で観察できるようになる。
【０１０５】
しかしながら、疾病眼の場合、最適化の制御が完了されても良好な眼底画像が得られない可能性がある。例えば、白内障、眼瞼下垂等の影響によって、画像が暗くなったり、ケラレ、フレア反射などが生じたりする場合がある。このような場合、検者は、画像に不良があると判断し、前眼部観察画像８４に表示された前眼部の瞳孔中心をタッチする。瞳孔中心がタッチされると、制御部７０は、例えば、光軸シフトモード（第２マニュアルモード）を立ち上げる。光軸シフトモードは、例えば、撮影部３の撮影光軸Ｌ１を被検眼の瞳孔内でシフトさせるために、撮影部３のアライメントを手動で微調整するモードである（図１１参照）。例えば、検者は、白内障の混濁部、瞼等を避けるように撮影光軸Ｌ１を瞳孔内でシフトさせることによって、疾病眼であっても不良の少ない画像を撮影することができる。
【０１０６】
光軸シフトモードが立ち上がると、制御部７０は、例えば、前眼部画像８４に対するタッチ操作に基づいて、撮影部３を移動させる。このとき、制御部７０は、前眼部画像８４あるいはその瞳孔部分を表示部７５に拡大表示し、瞳孔内部を観察しやすくしてもよい。なお、制御部７０は、表示部７５に被検眼の徹照像を表示させるとよい。被検眼の徹照像には白内障の混濁等が影となって撮影されるため、検者は、混濁部ＬＯの位置を確認し、撮影光軸Ｌ１からずらすようにアライメントを微調整することができる。
【０１０７】
なお、図１１に示す例において、制御部７０は、前眼部画像上に撮影光軸Ｌ１を示すための十字線８１等を表示している。この場合、検者は、タッチパネル７５ｂのドラッグ操作によって、前眼部画像８４に表示された十字線８１と瞳孔との位置関係を微調整する。例えば、検者は、図１１（ａ）に示すように、前眼部画像８４上の任意の位置をタッチし、ドラッグ操作する。制御部７０は、タッチパネル７５ｂからの操作信号に基づいて、図３〜５の説明と同様にＸＹＺ駆動部６の駆動を制御し、被検眼Ｅに対してＸＹ方向に撮影部３を移動させる。撮影部３の移動にともない、表示部７５に表示された瞳孔の位置が移動され、瞳孔と十字線８１との相対的な位置関係が変化する（図１１（ｂ）参照）。検者は、このようにして、十字線８１が瞳孔内をサーチするようにドラッグ操作を行い、十字線８１と瞳孔の位置関係を微調整する。制御部７０は、撮影光軸Ｌ１が被検眼Ｅの瞳孔内をサーチするように、撮影部３を被検眼Ｅに対して移動させる。
【０１０８】
検者は、タッチパネル７５ｂをドラッグ操作させて撮影光軸Ｌ１を瞳孔内で移動させながら表示部７５に表示された断層画像８６を確認し、断層画像８６が鮮明に表示されるまでドラッグ操作を続ける。このようにして、検者は、撮影部３と被検眼Ｅとのアライメントの微調整を行う。
【０１０９】
さらに、検者は、タッチパネル７５ｂに対してマルチタッチ操作を行うことによって、検査光学系３００のＺ方向の調整を行うことができる。例えば、検者は、ピンチ操作を行うことによって、干渉光学系２００のフォーカス調整を行ってもよい。この場合、制御部７０は、検者のピンチ操作によるタッチパネル７５ｂからの操作信号に基づいて、駆動部１２４ａを駆動させ、フォーカシングレンズを光軸方向に移動させてもよい。例えば、検者がピンチアウト操作を行った場合、制御部７０は、フォーカシングレンズ１２４を被検眼に近づく方向に移動させ、検者がピンチイン操作を行った場合、制御部７０は、フォーカシングレンズ１２４を被検眼から遠ざかる方向に移動させてもよい。検者は、表示部７５に表示された断層画像８６を観察し、断層画像８６が鮮明に表示されるまでピンチ操作を繰り返してもよい。
【０１１０】
なお、検者は、上記のようなドラッグ操作およびピンチ操作を並行して行うことによって、撮影部３のＸＹ方向のアライメントの微調整と、干渉光学系２００のフォーカスの微調整を並行して行ってもよい。この場合、制御部７０は、検者のドラッグ操作およびピンチ操作によるタッチパネル７５ｂからの操作信号に基づいて、ＸＹＺ駆動部６、１２４ａ駆動部等を並行して駆動させてもよい。
【０１１１】
以上のように、撮影感度の高い状態で断層画像８６が表示されるまで撮影光軸Ｌ１と被検眼との位置関係を微調整することによって、例えば疾病眼であっても、撮影光軸Ｌ１を病変部（例えば水晶体の混濁部分など）から外すことで良好な画像を撮影することができる。
【０１１２】
さらに、眼球は球体であるため、撮影光軸Ｌ１をＸＹ方向に移動させると、Ｚ軸方向のアライメントがずれる場合がある。したがって、ＸＹ方向のアライメント操作とＺ軸方向のアライメント操作が並行して行えない場合、ＸＹ方向のアライメントを調整する度にＺ方向のアライメント操作に切り換えて操作しなければならない。上記のように、ＸＹ方向のアライメントと、Ｚ方向のアライメントを一連の操作で調整できることによって、被検者の操作に関する手間を省くことができる。
【０１１３】
さらに、タッチパネル７５ｂのドラッグ操作およびピンチ操作によってアライメントおよびフォーカス等の微調整を直感的に行えるため、検者は違和感なくアライメント調整を行える。
【０１１４】
撮影光軸Ｌ１および干渉光学系２００のフォーカスの微調整が完了すると、検者は、撮影を開始するための操作を行う。撮影を開始するための操作は、例えば、タッチパネル７５ｂへシングルタップ、ダブルタップ、複数本の指でのタップであってもよいし、タッチパネル７５ｂから指を離す操作であってもよい。制御部７０は、検者のタップ操作、あるいはタッチパネル７５ｂからの検出信号が取得されなくなった場合、断層画像８６の撮影を開始してもよい。なお、タップ操作とは、例えば、タッチパネルを軽く押す（たたく）操作であり、シングルタップは１回、ダブルタップは２回軽く押す操作である。
【０１１５】
制御部７０は、撮影を開始するための信号を取得すると、走査部１０８の駆動を制御し、眼底上で測定光を走査する。ＨＣ９０は、検出器１２０からの検出信号に基づいて断層画像８３の静止画を生成する。ＨＣ９０は、断層画像８３をメモリ７２に記憶させる。
【０１１６】
次いで、制御部７０は、眼底カメラ光学系１００によってカラー眼底画像を取得するステップに移行する。制御部７０は、まず、図示無き内部固視灯と眼底照明用光源（例えば、光源１１）を消灯する。そして、制御部７０は、挿脱機構６６を駆動することによって、ダイクロイックミラー２４を光路から離脱させると共に、撮影光源１４を発光させる。
【０１１７】
撮影光源１４が発光されることによって、被検眼眼底は可視光によって照射される。眼底からの反射光は対物レンズ２５、孔あきミラー２２の開口部、撮影絞り３１、フォーカシングレンズ３２、結像レンズ３３、ダイクロイックミラー３７を通過し、２次元受光素子３５に結像する。２次元受光素子３５で撮影されたカラー眼底画像は、ＨＣ９０に受信され、その後、メモリ９２に記憶される。
【０１１８】
なお、以上の説明において、制御部７０は検者のピンチ操作によるタッチパネル７５ｂから操作信号に基づいて、干渉光学系２００のフォーカスを調整するとしたが、これに限らない。例えば、制御部７０は、タッチパネル７５ｂからの操作信号に基づいて、眼底カメラ光学系３０によって撮影される赤外眼底画像８７のフォーカスを調整してもよい。例えば、検者のピンチ操作を検出すると、制御部７０は、移動機構４９の駆動を制御し、眼底カメラ光学系３０のフォーカシングレンズ３２を移動させてもよい。ピンチ操作に基づくフォーカシングレンズ３２の駆動方法は、前述の干渉光学系２００の場合と同様でもよい。
【０１１９】
さらに、制御部７０は、検者のピンチ操作によって干渉光学系２００の光路長を調整してもよい。この場合、制御部７０は、タッチパネルからの操作信号に基づいて、駆動部１５０を駆動させ参照ミラー１３１を光軸方向に移動させることによって、参照光学系１１０の光路長を調整してもよい。
【０１２０】
なお、以上の説明において、検者は、ドラッグ操作及びピンチ操作によって撮影部３のＸＹＺ方向のアライメント、干渉光学系２００のフォーカスを調整するとしたが、これに限らない。例えば、検者は、タッチパネル７５ｂをドラッグ操作及び回転操作によってＸＹＺ方向のアライメント、さらには干渉光学系２００等のフォーカス等を調整してもよい。ここで、回転操作とは、２本の指で画面上をタッチし、画面上に指を載せたまま、画面に対する垂線方向を軸方向として２本の指を回転させる操作である。例えば、制御部７０は、検者の回転操作による回転量に基づいて各種調整を行ってもよい。なお、回転量は、例えば図１２に示すように、２本の指Ｓ１，Ｓ２でタッチされた移動前の指示点Ｑ１と指示点Ｒ１を結ぶ線分Ｊ１と、移動後の指示点Ｑ２と指示点Ｒ２を結ぶ線分Ｊ２と、がなす角度Ｕ等によって求められてもよい。
【０１２１】
なお、制御部７０は、タッチパネルへのピンチ操作、回転操作等に基づく信号を検出することによって、装置の各種設定、撮影光量、干渉光学系２００の最適化（例えば、フォーカス、光路長、ポラライザなど）、眼底カメラ光学系３０のフォーカスの少なくともいずれかを調整してもよい。
【０１２２】
例えば、検者によって右回転の操作が行われると、制御部７０はタッチパネル７５ｂから出力された右回転に関する回転操作信号に基づいて駆動部１２４ａの駆動を制御し、干渉光学系２００のフォーカシングレンズ１２４を光軸方向に関して被検者に近づく方向に移動させてもよい。同様に、検者によって左回転の操作が行われると、制御部７０はタッチパネル７５ｂから出力された左回転に関する回転操作信号に基づいて駆動部７０の駆動を制御し、干渉光学系２００のフォーカシングレンズ１２４ａを光軸方向に関して被検者から遠ざかる方向に移動させてもよい。このように、制御部７０は、ピンチ操作、回転操作等のマルチタッチ操作によるタッチパネル７５ｂからの操作信号に基づいて、ＸＹＺ駆動部６、駆動部１２４ａ、移動機構４９等をＺ方向に関して駆動させてもよい。
【０１２３】
なお、以上の説明において、検者は、眼科撮影装置１に備わるタッチパネル７５ｂに対してドラッグ操作、及びピンチ操作等のタッチ操作を行い、各駆動部のＺ方向に関する駆動を操作するものとしたが、これに限らない。例えば、眼科撮影装置１と有線または無線によって接続された外部端末の備えるポインティングデバイスを操作することによって、眼科撮影装置１のＸＹＺ方向のアライメント、および干渉光学系の最適化、及び正面撮影光学系のフォーカス調整等を遠隔で操作してもよい。ここで、外部端末としては、例えば、タブレットコンピュータ、パーソナルコンピュータ等が挙げられる。
【０１２４】
なお、被検眼Ｅに対する撮影光軸Ｌ１のＸＹ方向のアライメントの微調整は、図１０のように、２本の指によるドラッグ操作でなくともよく、１本の指によるドラッグ操作によって微調整してもよい。Ｚ方向の微調整を行う場合は、検者は、さらにもう１本の指をタッチパネル７５ｂにタッチし、ピンチ操作するようにしてもよい。このような場合も、制御部７０は、タッチパネル７５ｂからのドラッグ操作およびピンチ操作等に基づいてＸＹＺ駆動部６、駆動部１２４ａ，移動機構４９等を制御し、検査光学系３００のアライメント、およびフォーカス等を微調整してもよい。
【０１２５】
なお、撮影光軸Ｌ１のＸＹ方向のアライメントの微調整は、ドラッグ操作でなくともよく、例えば、タッチ操作に基づいて行われてもよい。例えば、制御部７０は、検者によって指定された前眼部画像上の指示点の位置に撮影光軸を位置させるようにＸＹＺ駆動部６をＸＹ方向に駆動させてもよい。
【０１２６】
なお、以上の説明において、制御部７０は、表示部７５に表示された前眼部画像上でのタッチ操作に基づいて、検査光学系３００のアライメント，最適化等を行うものとしたが、これに限らない。例えば、制御部７０は、表示部７５の画面上において、表示された前眼部画像８４から外れた位置に設定された操作領域上のタッチ操作に基づいて、検査光学系３００のアライメント，最適化等を行ってもよい。
【０１２７】
なお、表示部７５にはリアルタイムに前眼部画像８４が表示されるものとして説明したが、静止画を表示させてもよい。この場合、検者は、前眼部の静止画上においてタッチ操作を行う。そして、制御部７０は、静止画に対して行われたタッチ操作によって指定された位置に対するアライメント中心のずれ量だけ光軸をずらしてもよい。制御部７０は、ずれ量だけ光軸がずれるようにＸＹＺ駆動部６等を制御し、撮影部３のＸＹＺ方向のアライメントを行ってもよい。
【０１２８】
さらに、前眼部の静止画上においてタッチ操作を行う場合、制御部７０は、静止画上のタッチされた位置に対してオートアライメントを行うようにしてもよい。つまり、制御部７０は、オートアライメントの基準位置を静止画上において指定された指定位置に切り換えてもよい。
【０１２９】
なお、アライメントモードは、検者が前眼部画像８４をタッチすることによってオートモードからマニュアルモードに切り換わるようにしてもよい。例えば、オートアライメントモードによって前眼部アライメントを調整する場合、前眼部画像８４に被検者の前眼部が映っておらず、明らかにオートアライメントが失敗している場合、検者は、両眼画像８５および前眼部画像８４の少なくともいずれかをタッチすることによって、オートモードとマニュアルモードを切り替えてもよい。なお、制御部７０は、検者がタッチパネルに手を触れるとアライメントモードをマニュアルモード切り換え、検者の手がタッチパネルから離れると、アライメントモードをオートモードに切り換えてもよい。
【０１３０】
なお、以上の説明において、制御部７０は、検者のピンチ操作に基づいて、フォーカシングレンズ３２を移動させることによって、眼底カメラ光学系３０のフォーカスを調整するものとして説明したが、これに限らない。例えば、眼底カメラ光学系３０の受光素子３８等を光軸方向に駆動させる駆動部を備え、制御部７０によって駆動部の駆動が制御され、受光素子３８が光軸方向に駆動されることによって眼底カメラ光学系３０のフォーカスを調整してもよい。受光素子３８を移動させた場合、フォーカシングレンズ３２を移動させる場合に比べ、少しの移動でフォーカスが大きく変わるため、装置の小型化に貢献する。
【０１３１】
なお、以上の説明において、タッチパネル７５ｂのドラッグ操作およびピンチ操作によって撮影部３のＸＹＺ方向のアライメントおよび撮影光学系３００のフォーカスの微調整を行った場合、検者は干渉光学系２００を再度最適化するための操作を行ってもよい。制御部７０は、検者からの操作信号を受け付けると、干渉光学系２００の最適化を行ってもよい。制御部７０は、最適化完了後、自動的にＯＣＴ画像８６の撮影を開始してもよいし、検者のタップ操作等の信号を受け付けてからＯＣＴ画像８６の撮影を開始してもよい。
【０１３２】
なお、マルチタッチ操作によって眼底カメラ光学系３０のフォーカスを調整した場合、制御部７０はフォーカス調整量に基づいて、干渉光学系２００のフォーカスも合わせて自動的に調整してもよい。これによって、眼底カメラ光学系３０と干渉光学系２００のフォーカスをそれぞれ手動で調整する手間が省ける。なお、干渉光学系２００のフォーカスをマルチタッチ操作によって調整した場合も、合わせて眼底カメラ光学系３０のフォーカスを調整してもよい。
【０１３３】
なお、マルチタッチ操作によって干渉光学系２００または眼底カメラ光学系のフォーカス等を調整する場合、どちらかの画像をタッチし、選択状態にしてからマルチタッチ操作等を行ってもよい。これによって、マルチタッチ操作によって調整する光学系を選択することができる。
【０１３４】
なお、以上の説明において、ＸＹＺ駆動部６は撮影部３を駆動させることによって、被検眼と撮影部３とのアライメントを調整するものとしたが、これに限らない。例えば、ＸＹＺ駆動部６は、撮影部３の内部に収納された撮影光学系３００をＸＹＺ方向に駆動させることによって、被検眼に対する撮影光学系３００のアライメントを調整してもよい。
【０１３５】
なお、タッチパネルのドラッグ方向と撮影部３の移動方向は、任意に設定できるようにしてもよい。例えば、制御部７０は、上記のように検者が指をドラッグした方向とは逆方向に撮影部３を駆動させる操作モードと、ドラッグした方向に撮影部３を駆動させる操作モードとを切り換えできてもよい。
【０１３６】
なお、上記構成においては、フォーカス指標としてスプリット視標を用いたがこれに限定されず、眼底に投影された指標（例えば、リング指標、点指標）を用いて合焦状態が検出するための構造が、フォーカス検出に利用されうる。この場合、スプリット指標と同様に、制御部７０は、指標の輝点解析などによってオートフォーカス制御を行ってもよい。
【０１３７】
なお、本実施例においては、眼科装置として、被検眼の眼底の断層像を撮影する場合を例に挙げて説明したがこれに限定されない。本開示の技術は、被検眼の前眼部の断層像を撮影する場合においても、適用可能である。
【０１３８】
なお、本実施においては、ジョイスティック、トラックボール等の操作部材を備えていない構成としたが、これに限らない。タッチパネルの他に、ジョイスティック、トラックボール等の操作部材を備えていてもよい。
【符号の説明】
【０１３９】
１  眼科撮影装置
３  撮影部
６  ＸＹＺ駆動部
３０  眼底カメラ光学系
７０  制御部
７５  表示部
７５ａ  ＬＣＤ
７５ｂ  タッチパネル
９０  コンピュータ
９５  表示部
２００  干渉光学系
３００  検査光学系
【図１】
0006436294.tif 000002
【図２】
0006436294.tif 000003
【図３】
0006436294.tif 000004
【図４】
0006436294.tif 000005
【図５】
0006436294.tif 000006
【図６】
0006436294.tif 000007
【図７】
0006436294.tif 000008
【図８】
0006436294.tif 000009
【図９】
0006436294.tif 000010
【図１０】
0006436294.tif 000011
【図１１】
0006436294.tif 000012
【図１２】
0006436294.tif 000013